(57)【要約】  【課題】従来の冷蔵庫では、庫内に収容した食品を消費した後に残る無線タグの回収容器がなく、使用済の無線タグを再利用するために使用者が様々な方法で保管・管理する必要があり、無線タグの紛失・劣化が発生するという課題があった。  【解決手段】本発明の冷蔵庫９は、使用済の無線タグを回収する無線タグ回収容器１０を設けるとともに、使用済の無線タグを埃や湿気から保護し、使い勝手の良い無線タグ回収容器付冷蔵庫を提供できる。【選択図】図３
2010197011.tif 000002
【特許請求の範囲】
【請求項１】
庫内に収容する食品に付された無線タグと通信を行って食品情報を受信する冷蔵庫において、食品を消費した後に残る使用済の前記無線タグを回収する無線タグ回収容器と、前記無線タグ回収容器の開口部に設けた蓋部材と、前記蓋部材に装着した乾燥剤と、前記無線タグ回収容器に設けた取付部と、前記冷蔵庫に設けた溝部とを備え、前記取付部を前記溝部に挿入して前記無線タグ回収容器を冷蔵庫に固定することを特徴とする無線タグ回収容器付冷蔵庫。
【請求項２】
庫内に収容する食品に付された無線タグと通信を行って食品情報を受信する冷蔵庫において、食品を消費した後に残る使用済の前記無線タグを回収する無線タグ回収容器と、前記無線タグ回収容器の開口部に設けた蓋部材と、前記蓋部材に装着した乾燥剤と、前記無線タグ回収容器に設けた磁石とを備え、前記無線タグ回収容器を磁石で前記冷蔵庫に固定することを特徴とする無線タグ回収容器付冷蔵庫。
【請求項３】
前記無線タグ回収容器は、前記冷蔵庫と同じ色調に統一されたことを特徴とする請求項１または２に記載の無線タグ回収容器付冷蔵庫。
【請求項４】
前記乾燥剤は、シリカゲルで構成されたことを特徴とする請求項１〜３のいずれか１項に記載の無線タグ回収容器付冷蔵庫。
【発明の詳細な説明】
【技術分野】
【０００１】
本発明は庫内に収容する食品に付された無線タグと通信を行って食品情報を受信する冷蔵庫に関するものである。
【背景技術】
【０００２】
近年、冷蔵庫などの食品管理保存庫では、庫内に収容する食品の管理をすることができるようにしたものとして、無線タグを利用したものがある（例えば、特許文献１参照）。
【０００３】
図５は、特許文献１に記載された従来の食品管理保存庫を示すものである。図５に示すように、ホーム端末１は、表示装置１ａ及び操作部１ｂからなる表示部３を備えると共に、内部には、庫内の各室に収容している食品の保存状態を管理して各種の表示を行うための食品管理プログラムを記憶させた制御装置４が配設されている。制御装置４は、ＣＰＵを主体としてＲＯＭ、ＲＡＭや種々の入出力インターフェースを備えた構成とされている。
【０００４】
また、制御装置４は、検出手段としての機能を兼ね備えており、アンテナ８ａ〜８ｎによる無線タグとの通信により得られる食品情報を食品情報受信部であるリーダ５を介して入力する。また得られた食品情報をデータベースとして記憶する食品情報データベース６が接続されている。
【０００５】
以上の構成により、使用者が無線タグが付された食品を庫内に収容すると、無線タグとアンテナ８ａ〜８ｎが通信可能となり、制御装置４は、入庫された食品を判断すると共に、その収容された位置を検出してこれらのデータを食品情報として食品情報データベース６に記憶する。これにより、庫内に収容された食品がどのような食品で庫内のどの領域に位置するかを自動的に認識することができるようになり、庫内に収容している食品の管理をその位置と共に正確に行うことができるようになる。
【特許文献１】特開２００２−８１８４８号公報
【発明の開示】
【発明が解決しようとする課題】
【０００６】
従来の冷蔵庫では、庫内に収容した食品を消費した後に残る無線タグの回収容器がなく、使用済の無線タグを再利用するために使用者が様々な方法で保管・管理する必要があり、無線タグの紛失・劣化が発生するという課題があった。
【０００７】
本発明は、上記従来の課題を解決するもので、使用済の無線タグを回収する無線タグ回収容器を設けるとともに、使用済の無線タグを埃や湿気から保護し、使い勝手の良い無線タグ回収容器付冷蔵庫を提供することを目的とする。
【課題を解決するための手段】
【０００８】
上記従来の課題を解決するために、本発明の無線タグ回収容器付冷蔵庫は、食品を消費した後に残る使用済の前記無線タグを回収する無線タグ回収容器と、前記無線タグ回収容器の開口部に設けた蓋部材と、前記蓋部材に装着した乾燥剤と、前記無線タグ回収容器に設けた取付部と、前記冷蔵庫に設けた溝部とを備え、前記取付部を前記溝部に挿入して前記無線タグ回収容器を冷蔵庫に固定するようにしたものである。
【０００９】
これによって、蓋部材は無線タグ回収容器内の無線タグを埃から保護し、乾燥剤は無線タグ回収容器内の無線タグを湿気から保護し、さらに、無線タグ回収容器の取付部を冷蔵庫の溝部に挿入して固定するので、使い勝手が非常に良くなる。
【発明の効果】
【００１０】
本発明の無線タグ回収容器付冷蔵庫は、使用済の無線タグの紛失・劣化を防止すると共に、使い勝手を向上させることができる。
【発明を実施するための最良の形態】
【００１１】
請求項１に記載の発明は、庫内に収容する食品に付された無線タグと通信を行って食品情報を受信する冷蔵庫において、食品を消費した後に残る使用済の前記無線タグを回収する無線タグ回収容器と、前記無線タグ回収容器の開口部に設けた蓋部材と、前記蓋部材に装着した乾燥剤と、前記無線タグ回収容器に設けた取付部と、前記冷蔵庫に設けた溝部とを備え、前記取付部を前記溝部に挿入して前記無線タグ回収容器を冷蔵庫に固定したものであり、使用済の無線タグを埃や湿気から保護するとともに、使用済無線タグの紛失を防止することができる。
【００１２】
請求項２に記載の発明は、庫内に収容する食品に付された無線タグと通信を行って食品情報を受信する冷蔵庫において、食品を消費した後に残る使用済の前記無線タグを回収する無線タグ回収容器と、前記無線タグ回収容器の開口部に設けた蓋部材と、前記蓋部材に装着した乾燥剤と、前記無線タグ回収容器に設けた磁石とを備え、前記無線タグ回収容器を磁石で前記冷蔵庫に固定したものであり、使用済無線タグの紛失・劣化を防止すると共に、無線タグ回収容器を磁石で冷蔵庫に固定するため、冷蔵庫の扉あるいは本体の任意の場所に固定でき、かつ、着脱も容易となり、使い勝手が向上する。
【００１３】
請求項３に記載の発明は、特に、請求項１または請求項２の無線タグ回収容器を、前記冷蔵庫と同じ色調に統一されたものであり、冷蔵庫と無線タグ回収容器の一体感が向上し、調和のとれたデザインとすることができる。
【００１４】
請求項４に記載の発明は、特に、請求項１〜３のいずれか１つの発明の乾燥剤を、シリカゲルで構成されたものであり、汎用品を適用することも可能で、製造コストを低減することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における無線タグ回収容器の側面図である。図２は、同実施の形態における無線タグ回収容器付冷蔵庫の正面図である。図３は、同実施の形態における無線タグ回収容器が装着された無線タグ回収容器付冷蔵庫の正面図である。図４は同実施の形態における磁石固定式の無線タグ回収容器の側面図である。
【００１７】
図１ないし図３において、無線タグ回収容器１０は、開口部に設けた蓋部材１１と、蓋部材の内側に装着した乾燥剤１２と、冷蔵庫に装着して固定するための取付部１３とから構成されている。無線タグ回収容器１０の取付部１３が挿入される溝部１４は、冷蔵庫９の扉に設けられている。
【００１８】
以上のように構成された無線タグ付冷蔵庫について、以下その動作、作用を説明する。
【００１９】
まず、食品を消費した後に残る使用済の無線タグを無線タグ回収容器１０内に収納する。
【００２０】
無線タグ回収容器１０には蓋部材１１が設けられており、収納された無線タグを空気中の粉塵から保護している。蓋部材１１は、空気中の粉塵が無線タグに絡みつくのを防止すると共に、帯電した粉塵による静電気の発生により、無線タグが電気的に破壊されるのを未然に防止している。
【００２１】
乾燥剤１２は、無線タグ回収容器１０内に収納された無線タグを空気中の湿気から保護している。乾燥剤１２は、空気中の湿気が無線タグに触れて、無線タグの金属部分が腐食するのを未然に防止している。
【００２２】
取付部１３は、溝部１４に挿入されて無線タグ回収容器１０を冷蔵庫９に固定するものである。取付部１３は、冷蔵庫９の溝部１４に対して、抜き差し自在に構成されており、無線タグ回収容器１０内の無線タグが満杯状態になると、取付部１３を溝部１４から抜いて、無線タグ回収容器１０を冷蔵庫９から脱着して、冷蔵庫９の購入店に持ち込むことで、無線タグ回収容器１０内の使用済無線タグをリサイクルするようにしている。無線タグ回収容器１０が脱着自在に構成されているため、一度に多数の無線タグを無線タグ回収容器１０内に収納する際には、無線タグ回収容器１０を冷蔵庫９から脱着し、手で持ち運びながら無線タグを回収するようにしてもよい。来客時など冷蔵庫９の外観をすっきりさせたい場合には、無線タグ回収容器１０を冷蔵庫９から脱着し、棚や引出し、あるいは、冷蔵庫９の庫内などに一時的に保管するようにしてもよい。
【００２３】
また、無線タグ回収容器１０を冷蔵庫９と同じ色調に統一することで、冷蔵庫９と無線タグ回収容器１０の一体感が向上し、調和のとれたデザインとなる。無線タグ回収容器１０のカラーリングは、一色とは限らず、複数の色で構成されてもよく、その場合、冷蔵庫９の表面積の８０％以上を占める塗装色を、無線タグ回収容器１０の前面側面積の５０％以上占めるようにカラーリングしてもよい。
【００２４】
また、乾燥剤１２はシリカゲルで構成してもよく、菓子パンやおかき等に用いられている汎用品を適用することも可能で、製造コストを低減できる。無線タグ回収容器１０の蓋部材１１に装着された乾燥剤１２を入替え可能なように、差込式のポケット構造（図示せず）とすることにより、食品などに同梱されている安価な乾燥剤１２を使用することができ、消耗部材である乾燥剤１２のランニングコストを低減することも可能となる。
【００２５】
図４において、無線タグ回収容器１０に設けられた磁石１５は、無線タグ回収容器１０を冷蔵庫９に固定するためのものである。無線タグ回収容器１０を磁石１５で冷蔵庫９に固定するため、冷蔵庫９の扉あるいは本体の任意の場所に固定でき、かつ、着脱も容易となり、使い勝手が向上する。また、無線タグ回収容器１０を冷蔵庫９に限らず任意の場所に設置することが可能となり、冷蔵庫に溝部１４を設ける必要がないため、無線タグ回収容器１０を取外しても溝部が露出せず、冷蔵庫９の外観を損なうこともない。
【００２６】
以上のように、本実施の形態においては、食品を消費した後に残る使用済の無線タグを回収する無線タグ回収容器１０と、無線タグ回収容器１０の開口部に設けた蓋部材１１と、蓋部材１１に装着した乾燥剤１２と、無線タグ回収容器１０に設けた取付部１３と、冷蔵庫９に設けた溝部１４とを備え、取付部１３を溝部１４に挿入して無線タグ回収容器１０を冷蔵庫９に固定したものであり、使用済の無線タグを埃や湿気から保護するとともに、使用済無線タグの劣化を防止することができる。また普段、無線タグ回収容器１０は、冷蔵庫９の扉に固定されており、使用者の視認性が良いため、無線タグ回収容器１０が脱着されている時などを、ごく自然に気付くことが可能で、その都度、ほぼ反射的に無線タグ回収容器１０の在りかを頭の中で再認識したり、家族に聞いたりするので、無線タグ回収容器１０の在りかを忘却することもなく、無線タグ回収容器１０の紛失を防止することができる。
【００２７】
また、本実施の形態においては、食品を消費した後に残る使用済の無線タグを回収する無線タグ回収容器１０と、無線タグ回収容器１０の開口部に設けた蓋部材１１と、蓋部材１１に装着した乾燥剤１２と、無線タグ回収容器１０に設けた磁石１５とを備え、無線タグ回収容器１０を磁石１５で冷蔵庫９に固定したものであり、使用済無線タグの紛失・劣化を防止すると共に、無線タグ回収容器１０を磁石１５で冷蔵庫９に固定するため、冷蔵庫９の扉あるいは本体の任意の場所に固定でき、かつ、着脱も容易となり、使い勝手が向上する。
【００２８】
また、本実施の形態においては、無線タグ回収容器１０は、冷蔵庫９と同じ色調に統一されたものであり、冷蔵庫９と無線タグ回収容器１０の一体感が向上し、調和のとれたデザインとすることができる。
【００２９】
また、本実施の形態においては、乾燥剤１２は、シリカゲルで構成されたものであり、汎用品を適用することも可能で、製造コストを低減することができる。
【産業上の利用可能性】
【００３０】
以上のように、本発明にかかる無線タグ回収容器付冷蔵庫は、庫内に収容する食品に付された無線タグと通信を行って食品情報を受信する家庭用又は業務用冷蔵庫に対して実施することができ、大型であるか小型であるかを問わず適用できる。
【図面の簡単な説明】
【００３１】
【図１】本発明の実施の形態１における無線タグ回収容器の側面図
【図２】同実施の形態における無線タグ回収容器付冷蔵庫の正面図
【図３】同実施の形態における無線タグ回収容器が装着された無線タグ回収容器付冷蔵庫の正面図
【図４】同実施の形態における磁石固定式の無線タグ回収容器の側面図
【図５】従来の冷蔵庫の正面図
【符号の説明】
【００３２】
９    冷蔵庫
１０  無線タグ回収容器
１１  蓋部材
１２  乾燥剤
１３  取付部
１４  溝部
１５  磁石
【図１】
2010197011.tif 000003
【図２】
2010197011.tif 000004
【図３】
2010197011.tif 000005
【図４】
2010197011.tif 000006
【図５】
2010197011.tif 000007